【手続補正書】
【提出日】平成31年4月26日(2019.4.26)
【手続補正１】
【補正対象書類名】明細書
【補正対象項目名】０２５３
【補正方法】変更
【補正の内容】
【０２５３】
【図１】マスクの囲いが加圧されるときに生成される力とあり得る患者のヘッドギアサイジング範囲との関係を表す動作エンベロープを示すグラフである。
【図２】弾性のあるヘッドギアシステムの力曲線が重ね合わされている、図１の動作エンベロープを示す。
【図３】例示的な実施形態の力曲線が重ね合わされている、図１の動作エンベロープを示す。
【図４】例示的なヘッドギア装置の力−たわみ曲線のグラフである。
【図４．１】使用者への着用開始時における例示的なヘッドギア装置の位置を示す。
【図４．２】収縮の開始時における例示的なヘッドギア装置の位置を示す。
【図４．３】着用の終了時における例示的なヘッドギア装置の位置を示す。
【図５】例示的な「複合」力−たわみ曲線を含むグラフである。
【図６】インタフェースを封止接触して維持する力−面積グラフである。
【図７】ヘッドギア力、突出シール面積および頭部サイズの間の関係の３次元グラフである。
【図８Ａ】弾性ヘッドギアシステムおよび非弾性ヘッドギアシステムに対する定圧治療の力プロファイルおよび伸長プロファイルを示す。
【図８Ｂ】弾性ヘッドギアシステムおよび非弾性ヘッドギアシステムに対する可変圧治療の力プロファイルおよび伸長プロファイルを示す。
【図９】単一の保持面を有する鼻インタフェースの側面図である。
【図１０】２つの保持面を有する鼻インタフェースの側面図である。
【図１１】２つの保持面を有するフルフェイスマスクの側面図である。
【図１２】２つの保持面を有する鼻マスクの側面図である。
【図１３】単一の点に収束する２つの保持面を有するマスクの側面図である。
【図１３．１】さまざまなヘッドギアタイプの安定性の表である。
【図１３．２】単一保持面インタフェースアセンブリを示す。
【図１４】ヘッドギアとマスクとの間の接続部に配置された方向性ロック機構を有する額支持部を備えたフルフェイスマスクの側面図である。
【図１５】ヘッドギア内に配置された方向性ロック機構を有する額支持部を備えたフルフェイスマスクの側面図である。
【図１６】平坦ストラップに方向性ロック機構を有する鼻マスクの側面図である。
【図１７】可撓性コア設計を備えた方向性ロック機構を有する鼻マスクの側面図である。
【図１８】マスクまたは他のインタフェースと方向性ロック機構を組み込んだヘッドギアの後方部分との間に延在するように構成されたインタフェースアセンブリのモジュールを示す。
【図１９】マスクまたは他のインタフェースと付勢機構から間隔を空けて配置されている方向性ロック機構を組み込んだヘッドギアの後方部分との間に延在するように構成されたインタフェースアセンブリの代替モジュールを示す。
【図２０】例示的なインタフェースアセンブリの側面図である。
【図２１】例示的なフルフェイスマスクの側面図である。
【図２２】例示的な鼻ピローマスクの側面図である。
【図２３】使用者の上に配置された例示的なヘッドギアアセンブリの背面斜視図である。
【図２４】図２３における例示的なヘッドギアアセンブリの背面斜視図である。
【図２５】使用者の上にある例示的なヘッドギアアセンブリの背面斜視図である。
【図２６】図２５における線２６−２６に沿った例示的なヘッドギアアセンブリの断面図である。
【図２７】図２５における線２７−２７に沿った例示的なヘッドギアアセンブリの断面図である。
【図２８】図２５における線２８−２８に沿った例示的なヘッドギアアセンブリの断面図である。
【図２９】さまざまな材料タイプから構成された例示的なヘッドギアのいくつかの部分を示す例示的なヘッドギアアセンブリの背面斜視図である。
【図３０】例示的なヘッドギアアセンブリ内における自動調節器を配置することができる位置を示す。
【図３１】使用者が装着している例示的なヘッドギアアセンブリ内における自動調節器を配置することができる位置を示す。
【図３２】組立形態にある例示的なストラップ調整機構を示す。
【図３３】第１部分および第２部分に分離された図３２における例示的なストラップ調整機構の平面図である。
【図３４】図３２における例示的なストラップ調整機構の第２部分の斜視図である。
【図３５】ロック位置および解除位置にある方向性ロックの断面図である。
【図３６】方向性ロックを組み込んだヘッドギアに対する動作サイクルを示す。
【図３７】１つまたは複数の方向性ロックを組み込んだ例示的なヘッドギアアセンブリの斜視図である。
【図３８】１つまたは複数の方向性ロックを組み込んだ例示的なヘッドギアアセンブリの斜視図である。
【図３９】図３８における例示的なヘッドギアアセンブリのヘッドギア後方部分に取り付けられた取付部材の側面図である。
【図４０】例示的なインタフェースアセンブリの斜視図である。
【図４１】インタフェース結合部分に取り付けられた例示的なインタフェースアセンブリの左側斜視図である。
【図４２】例示的なインタフェースアセンブリの側面図である。
【図４３】インタフェース結合部分に取り付けられたインタフェース部材のフレーム要素の斜視図である。
【図４４】インタフェース部材のフレーム要素およびインタフェース結合部分の正面図である。
【図４５】インタフェース結合部分に取り付けられたインタフェース部材のフレーム要素の正面図である。
【図４６】インタフェース結合部分に取り付けられた例示的なインタフェースアセンブリの右側斜視図である。
【図４７】インタフェース結合部分の第２部品に取り付けられた例示的なインタフェースアセンブリの上面斜視図である。
【図４８】インタフェース結合部分の第１部品の上面斜視図である。
【図４９】インタフェース結合部分の第２部品の上面斜視図である。
【図５０】例示的なインタフェースアセンブリの右側斜視図である。
【図５１】例示的なインタフェースアセンブリの組立分解図である。
【図５２】例示的なインタフェース結合部分の組立分解図である。
【図５３】例示的なインタフェース結合部分の反転した組立分解図である。
【図５４】例示的な折畳み式ヘッドギアアセンブリの上面図である。
【図５５】例示的な折畳み式ヘッドギアアセンブリの背面図である。
【図５６】例示的な折畳み式ヘッドギアアセンブリの側面図である。
【図５７】フルフェイスマスク型インタフェースに結合された例示的なヘッドギアアセンブリを示す。
【図５８】鼻マスクに結合された図５７の例示的なヘッドギアアセンブリを示す。
【図５９】鼻ピロー／プロングマスクに結合された図５７の例示的なヘッドギアアセンブリを示す。
【図６０】例示的なヘッドギアとＴピースを備えたインタフェースアセンブリとを示す。
【図６１】例示的なヘッドギアとＴピースのないインタフェースアセンブリとを示す。
【図６２】例示的なヘッドギアと、インタフェースに取外し可能に取り付けられているインタフェース結合部分を備えるインタフェースアセンブリとを示す。
【図６３】図６２の例示的なインタフェースアセンブリを着用しているときの第１位置を示す。
【図６４】図６２の例示的なインタフェースアセンブリを着用しているときの第２位置を示す。
【図６５】図６２の例示的なインタフェースアセンブリを着用しているときの第３位置を示す。
【図６６】最小長さにある調整可能なインタフェースアセンブリまたはヘッドギアアセンブリの外周部を示す。
【図６７】最大長さにある調整可能なインタフェースアセンブリまたはヘッドギアアセンブリの外周部を示す。
【図６８Ａ】ロック位置にある方向性ロックの断面図である。
【図６８Ｂ】ロック位置にある図６８Ａの方向性ロックの断面斜視図である。
【図６８Ｃ】ロック解除位置にある図６８Ａの方向性ロックの断面図である。
【図６８Ｄ】ロック解除位置にある図６８Ａの方向性ロックの断面斜視図である。
【図６９Ａ】例示的な方向性ロックのハウジングにロックワッシャを取り付ける第１組立ステップの図である。
【図６９Ｂ】図６９Ａの例示的な方向性ロックのハウジングにロックワッシャを取り付ける第２組立ステップの図である。
【図７０Ａ】複数の例示的な方向性ロックのハウジングにロックワッシャを取り付ける第１組立ステップの図である。
【図７０Ｂ】図７０Ａの複数の例示的な方向性ロックのハウジングにロックワッシャを取り付ける第２組立ステップの図である。
【図７１】例示的な方向性ロックのハウジングにロックワッシャを取り付ける組立ステップの図である。
【図７２】例示的な方向性ロックのハウジングにロックワッシャを取り付ける組立ステップの図である。
【図７３】額支持部のない例示的なフルフェイスマスクの側面図である。
【図７４】額支持部のない別の例示的なフルフェイスマスクの側面図である。
【図７５】例示的な鼻マスクの側面図である。
【図７６】ヘッドギア後方部分および２つ保持面を有する例示的なヘッドギアシステムである。
【図７７】別の例示的なヘッドギアの正面斜視図である。
【図７８】図７７の例示的なヘッドギアシステムの正面図である。
【図７９】図７７の例示的なヘッドギアシステムの背面斜視図である。
【図８０】嵌合する鼻マスク装置を備えた、図７７の例示的なヘッドギアシステムの正面図である。
【図８１】例示的なクッションモジュールおよびフレームアセンブリの正面斜視図である。
【図８２】ヘッドギアシステムのハウジングに接続されたフレームアセンブリの正面斜視図である。
【図８３】ヘッドギアシステムのハウジングに接続されたフレームアセンブリの背面図である。
【図８４】ヘッドギアのハウジングから取り外されたフレームアセンブリの背面図である。
【図８５】少なくとも１つの方向性ロックモジュールを含むヘッドギア装置の機能の検証試験を示す。
【図８６】力と試験済みの例示的なヘッドギア装置の伸長との間の関係を示すグラフである。
【図８７】遷移後の伸長中の力の変動を示す力−伸長グラフである。
【図８８】少なくとも１つの方向性ロック機構を含むことができる、本開示のヘッドギア装置を組み込んだ呼吸カニューレの斜視図である。
【図８９ａ】本開示のヘッドギア装置を組み込んださらなる呼吸カニューレの斜視図であり、このヘッドギア装置は、少なくとも１つの方向性ロック機構およびヘッドギアクイックリリース機構を含むことができる。
【図８９ｂ】本開示のヘッドギア装置を組み込んださらなる呼吸カニューレの斜視図であり、このヘッドギア装置は、少なくとも１つの方向性ロック機構およびヘッドギアクイックリリース機構を含むことができる。
【図８９ｃ】本開示のヘッドギア装置を組み込んださらなる呼吸カニューレの斜視図であり、このヘッドギア装置は、少なくとも１つの方向性ロック機構およびヘッドギアクイックリリース機構を含むことができる。
【図９０】少なくとも１つの方向性ロック機構を含むことができる、本開示のヘッドギア装置を組み込んだ別の呼吸カニューレの斜視図である。
【図９１】少なくとも１つの方向性ロック機構およびヘッドギアクイックリリース機構を含むことができる、本開示のヘッドギア装置を組み込んだ呼吸カニューレの斜視図である。
【図９２】少なくとも１つの方向性ロック機構を含むことができる、本開示のヘッドギア装置を組み込んだ呼吸カニューレの斜視図である。
【図９３】少なくとも１つの方向性ロック機構およびヘッドギアクイックリリース機構を含むことができる、本開示のヘッドギア装置を組み込んだ呼吸カニューレの斜視図である。
【図９４】少なくとも１つの方向性ロック機構を含むことができる、本開示のヘッドギア装置を組み込んだ呼吸カニューレの斜視図である。
【図９５】少なくとも１つの方向性ロック機構およびヘッドギアクイックリリース機構を含むことができる、本開示のヘッドギア装置を組み込んだ呼吸カニューレの斜視図である。
【図９６】一対の方向性ロック機構および一対のヘッドギアクイックリリース機構を含むことができる、本開示のヘッドギア装置を組み込んだ呼吸カニューレの斜視図である。
【図９７】一対の方向性ロック機構および一対のヘッドギアクイックリリース機構を含むことができる、本開示のヘッドギア装置を組み込んだ呼吸カニューレの斜視図である。
【図９８】一対の方向性ロック機構およびヘッドギアクイックリリース機構を含むことができる、本開示のヘッドギア装置を組み込んだ呼吸カニューレの斜視図である。
【図９９】一対の方向性ロック機構およびヘッドギアクイックリリース機構を含むことができる、本開示のヘッドギア装置を組み込んだ呼吸カニューレの斜視図である。
【図１００】一対の方向性ロック機構および一対のヘッドギアクイックリリース機構を含むことができる、本開示のヘッドギア装置を組み込んだ呼吸カニューレの斜視図である。
【図１０１】少なくとも１つの方向性ロック機構および一対のヘッドギアクイックリリース機構を含むことができる、本開示のヘッドギア装置を組み込んだ呼吸カニューレの斜視図である。
【図１０２】一対の方向性ロック機構を含むことができる、本開示のヘッドギア装置を組み込んだ呼吸カニューレの斜視図である。
【図１０３】ネーザルハイフローカニューレ（ｎａｓａｌ  ｈｉｇｈ  ｆｌｏｗ  ｃａｎｎｕｌａ）と組み合わせて使用される呼吸マスクを備えた、上昇または制御呼吸圧システムの斜視図である。呼吸マスクは、１つまたは複数の方向性ロック機構を備えることができる。
【図１０４】図１０３の呼吸マスクの斜視図である。
【図１０５】方向性ロック機構のロック部材およびコア部材の側面図である。
【図１０６】ロック部材に対する好ましい動作エンベロープを示す、ロック部材縁部の鋭利度対ロック部材の厚さのグラフである。
【図１０７】ロック位置にあるロック部材の拡大図である。
【図１０８】ロック解除位置にある図１０７のロック部材の拡大図である。
【図１０９ａ】異なるあり得る断面開口部形状を有するいくつかのロック部材を示す。
【図１０９ｂ】異なるあり得る断面開口部形状を有するいくつかのロック部材を示す。
【図１０９ｃ】異なるあり得る断面開口部形状を有するいくつかのロック部材を示す。
【図１１０】テーパ状孔形状を有するロック部材の斜視図である。
【図１１１ａ】代替的なテーパ状孔形状を有するロック部材を示す。
【図１１１ｂ】代替的なテーパ状孔形状を有するロック部材を示す。
【図１１２】線形保持力プロファイルと比較してテーパ状孔形状の漸進的な保持力プロファイルを示す力対距離のグラフである。
【図１１３ａ】一対のロック部材とロック部材の間で動きを伝達する動き伝達要素とを備える方向性ロック機構を示す。図１１３ａは、ロック解除位置にある方向性ロック機構を示す。
【図１１３ｂ】一対のロック部材とロック部材の間で動きを伝達する動き伝達要素とを備える方向性ロック機構を示す。図１１３ｂは、ロック位置にある方向性ロック機構を示す。
【図１１４ａ】一対のロック部材とロック部材の間で動きを伝達する代替的な動き伝達要素とを備える、別の方向性ロック機構を示す。図１１４ａは、ロック解除位置にある方向性ロック機構を示す。
【図１１４ｂ】一対のロック部材とロック部材の間で動きを伝達する代替的な動き伝達要素とを備える、別の方向性ロック機構を示す。図１１４ａは、ロック解除位置にある方向性ロック機構を示し、図１１４ｂは、ロック位置にある方向性ロック機構を示す。
【図１１５】少なくとも１つの方向性ロック機構を組み込んだヘッドギア装置を備える呼吸マスクシステムを示す。方向性ロック機構は、使用者の耳の後方に位置する。
【図１１６】使用者の上に方向性ロック機構を配置するためのあり得る位置を示す。
【図１１７】頭蓋骨に対して配置領域が示されている、使用者の耳の後方に方向性ロックを配置するためのあり得る位置を示す。
【図１１８Ａ】使用者が装着している本開示のヘッドギアの側面図である。
【図１１８Ｂ】本開示のヘッドギアの斜視図である。
【図１１９】本明細書に開示するヘッドギアの一部を形成するストラップの断面図である。
【図１２０】本開示のヘッドギアと同様のストラップ構成要素を成形するように構成された射出成形型の１つの半体の第三角正投影図である。
【図１２１】図１２０の射出成形型によって製造されたストラップ構成要素の等角図である。
【図１２２】テキスタイルケーシングが内部に配置されている、図１２０の射出成形型の断面図ＢＢである。
【図１２３】テキスタイルケーシングが内部に配置されている、図１２０の射出成形型の断面ＡＡの拡大図である。
【図１２４Ａ】本開示のヘッドギアの第２実施形態の斜視図である。
【図１２４Ｂ】本開示のヘッドギアの第２実施形態のサイズ調整システムの拡大断面図である。
【図１２５Ａ】図１２４Ａおよび図１２４Ｂのサイズ調整システムの第２実施形態の断面図である。
【図１２５Ｂ】図８Ａのサイズ調整システムの第１ストラップの平面図である。
【図１２５Ｃ】代替的なサイズ調整システムの第１ストラップの斜視図である。
【図１２５Ｄ】図１２５Ｃのサイズ調整システムの接続された第１ストラップおよび第２ストラップの断面図である。
【図１２５Ｅ】図１２５Ｃのサイズ調整システムの接続されていない第１ストラップおよび第２ストラップの断面図である。
【図１２５Ｆ】別の代替的なサイズ調整システムの組立分解斜視図である。
【図１２５Ｇ】図１２５Ｆのサイズ調整システムのクローズアップ組立分解斜視図である。
【図１２５Ｈ】図１２５Ｆのサイズ調整システムの第１ストラップの上から見た図である。
【図１２５Ｉ】図１２５Ｆのサイズ調整システムの第２ストラップの断面図である。
【図１２６】図１２４Ａおよび図１２４Ｂのサイズ調整システムを用いて接続されるクッションパッドを備えた呼吸装置の斜視図である。
【図１２７Ａ】呼吸装置構成要素間の接続部の平面図である。
【図１２７Ｂ】呼吸装置構成要素間の接続部の平面図である。
【図１２８】成形グリップを備えたヘッドギア構成要素の平面図である。
【図１２９】図１２８のヘッドギア構成要素を形成するように構成された成形型の断面図である。
【図１３０】比較的非弾性のコアと、コアの少なくとも１つの面にある布ケーシングと、コアのいくつかの部分の間の可撓性接合部とを有するヘッドギアストラップ部分の側面図である。
【図１３１】図１３０の線１４−１４に沿った図１３０のヘッドギアストラップ部分の断面図である。
【図１３２】比較的非弾性のコアと、コアの少なくとも１つの面にある布ケーシングと、コアのいくつかの部分の間の可撓性接合部とを有するヘッドギアストラップ部分の側面図であり、可撓性接合部は、コアのその部分の間に延在する可撓性ブリッジ部分を備えている。
【図１３３】図１３２の線１６−１６に沿った図１３２のヘッドギアストラップ部分の断面図である。
【図１３４】布ケーシングを成形金型内の適所に保持するために静電荷を利用する、ヘッドギアストラップ部分を形成するシステムを示す。
【図１３５】布ケーシングを成形金型内の適所に保持するために空気圧を利用する、ヘッドギアストラップ部分を形成するシステムを示す。
【図１３６】布ケーシングを成形金型内の適所に保持するために１つまたは複数の構成要素を利用する、ヘッドギアストラップ部分を形成するシステムを示す。
【図１３７】成形金型内に布ケーシングを送り込むためにロール状の材料を利用する、ヘッドギアストラップ部分を形成するシステムを示す。
【図１３８】第１ストラップおよび第２ストラップを有するヘッドギアを示す。
【図１３９Ａ】第２ストラップの断面図である。
【図１３９Ｂ】第１ストラップの断面図である。
【図１３９Ｃ】ストラップのコアが、ストラップのカバー層の継目を受け入れるように構成された凹部を含む、代替的なストラップの断面図である。
【図１３９Ｄ】コアが、コアの幅方向の実質的な部分を占有する１つまたは複数の凹部を有し、カバー層の継目が凹部内に位置している、別の代替的なストラップの断面図である。
【図１３９Ｅ】カバー層の継目がカバー層の表面の上に折り重ねられている、代替的な継目構成を示すさらに別の代替的なストラップの断面図である。
【図１４０Ａ】第１ストラップの外層の図である。
【図１４０Ｂ】第２ストラップの外層の図である。
【図１４１】第１ストラップおよび第２ストラップを有するヘッドギアを示す。
【図１４２Ａ】第１ストラップの断面図である。
【図１４２Ｂ】第２ストラップの断面図である。
【図１４３Ａ】第１ストラップの外層の図である。
【図１４３Ｂ】第２ストラップの外層の図である。
【図１４４】内部コア、第１外層および第２外層を有するヘッドギアを示す。
【図１４５】図１４４のヘッドギアの一部の断面図である。
【図１４６Ａ】図１４４のヘッドギアの第１外層の図である。
【図１４６Ｂ】図１４４のヘッドギアの第２外層の図である。
【図１４７】内部コア、第１外層および第２外層を有するヘッドギアを示す。
【図１４８】図１４７のヘッドギアの一部の断面図である。
【図１４９Ａ】図１４７のヘッドギアの第１外層の図である。
【図１４８Ｂ】図１４７のヘッドギアの第２外層の図である。
【図１５０】内部コア、第１外層および第２外層を有するヘッドギアを示す。
【図１５１】図１５０のヘッドギアの一部の断面図である。
【図１５２Ａ】図１５０のヘッドギアの第１外層の図である。
【図１５２Ｂ】図１５０のヘッドギアの第２外層の図である。
【図１５３】内部コア、第１外層および第２外層を有するヘッドギアを示す。
【図１５４】図１５３のヘッドギアの一部の断面図である。
【図１５５】内部コア、第１外層および第２外層を有するヘッドギアを示す。
【図１５６】図１５５のヘッドギアの一部の断面図である。
【図１５７Ａ】図１５５のヘッドギアの第１外層の図である。
【図１５７Ｂ】図１５５のヘッドギアの第２外層の図である。
【図１５８】コアおよび１つまたは複数の外層を有するヘッドギアストラップ装置の断面図である。
【図１５９】図１５８のヘッドギアストラップ装置のコアの側面図である。
【図１６０】コアおよび１つまたは複数の外層を有するヘッドギアストラップ装置の断面図である。
【図１６１】図１６０のヘッドギアストラップ装置のコアの側面図である。
【図１６２】コアおよび１つまたは複数の外層を有するヘッドギアストラップ装置の断面図である。
【図１６３】図１６２のヘッドギアストラップ装置のコアの側面図である。
【図１６４】コアおよび１つまたは複数の外層を有するヘッドギアストラップ装置の断面図である。
【図１６５】図１６４のヘッドギアストラップ装置のコアの側面図である。
【図１６６】コアおよび１つまたは複数の外層を有するヘッドギアストラップ装置の断面図である。
【図１６７】図１６６のヘッドギアストラップ装置のコアの側面図である。
【図１６８】コアおよび１つまたは複数の外層を有するヘッドギアストラップ装置の断面図である。
【図１６９】図１６８のヘッドギアストラップ装置のコアの側面図である。
【図１７０】コアおよび１つまたは複数の外層を有するヘッドギアストラップ装置の断面図である。
【図１７１】図１７０のヘッドギアストラップ装置のコアの側面図である。
【図１７２】コアおよび１つまたは複数の外層を有するヘッドギアストラップ装置の断面図である。
【図１７３】図１７２のヘッドギアストラップ装置のコアの側面図である。
【図１７４】第１ストラップおよび第２ストラップを有するヘッドギアの斜視図である。
【図１７５Ａ】図１７４のヘッドギアの一部の断面図である。
【図１７５Ｂ】図１７４のヘッドギアのストラップの代替構成の断面図である。
【図１７５Ｃ】図１７４のヘッドギアのストラップの別の代替構成の断面図である。
【図１７６】少なくとも第１ストラップおよび第２ストラップを有するヘッドギアの斜視図である。
【図１７７】少なくとも第１ストラップおよび第２ストラップを結合する結合機構を含む図１７６のヘッドギアの拡大図である。
【図１７８】図１７７の結合機構を通る図１７６のヘッドギアの一部の断面図である。
【図１７９】少なくとも第１ストラップおよび第２ストラップを有するヘッドギアの斜視図である。
【図１８０】少なくとも第１ストラップおよび第２ストラップを結合する結合機構を含む図１７９のヘッドギアの拡大図である。
【図１８１】図１８０の結合機構を通る図１７９のヘッドギアの一部の断面図である。
【図１８２】少なくとも第１ストラップおよび第２ストラップを有するヘッドギアの斜視図である。
【図１８３】少なくとも第１ストラップおよび第２ストラップを結合する結合機構を含む図１８２のヘッドギアの拡大図である。
【図１８７】図１８３の結合機構を通る図１８２のヘッドギアの一部の断面図である。
【図１８５】少なくとも第１ストラップおよび第２ストラップを有するヘッドギアの斜視図である。
【図１８６】少なくとも第１ストラップおよび第２ストラップを結合する結合機構を含む図１８５のヘッドギアの拡大図である。
【図１８７】図１８６の結合機構を通る図１８５のヘッドギアの一部の断面図である。
【図１８８】少なくとも第１ストラップおよび第２ストラップを有するヘッドギアの斜視図である。
【図１８９】少なくとも第１ストラップおよび第２ストラップを結合する結合機構を含む図１８８のヘッドギアの拡大図である。
【図１９０】図１８９の結合機構を通る図１８８のヘッドギアの一部の断面図である。
【図１９１】少なくとも第１ストラップおよび第２ストラップを有するヘッドギアの斜視図である。
【図１９２】少なくとも第１ストラップおよび第２ストラップを結合する結合機構を含む図１９１のヘッドギアの拡大図である。
【図１９３】図１９２の結合機構を通る図１９１のヘッドギアの一部の断面図である。
【図１９４】コアおよび外層を有し、外層とコアとの間に１つまたは複数のエアギャップまたは空隙がある、ヘッドギアストラップの断面図である。
【図１９５】コアおよび外層を有し、外層とコアとの間に１つまたは複数の導管がある、ヘッドギアストラップの断面図である。
【図１９６】コアおよび外層を有し、外層とコアとの間に１つまたは複数の導管がある、別のヘッドギアストラップの断面図である。
【図１９７】コアおよび外層を有し、１つまたは複数の導管がコアによって少なくとも部分的に包囲されている、ヘッドギアストラップの断面図である。
【図１９８】コアおよび外層を有し、１つまたは複数の導管がコアによって少なくとも部分的に包囲されている、別のヘッドギアストラップの断面図である。
【図１９９】コアおよび外層を有し、一対の導管がコアによって画定されている、ヘッドギアストラップの断面図である。
【図２００】コアおよび外層を有し、外層とコアとの間にエアギャップがある、ヘッドギアストラップの断面図である。
【図２０１Ａ】表面に対して第１位置にある図２００のヘッドギアストラップの断面図である。
【図２０１Ｂ】表面に対して第２位置にある図２００のヘッドギアストラップの断面図である。
【図２０２】コアおよび外層を有し、外層とコアとの間にエアギャップがあり、コアの一部が外側に露出している、ヘッドギアストラップの断面図である。
【図２０３】コアおよび外層を有し、外層とコアとの間にエアギャップがあり、コアの一部が外側に露出している、別のヘッドギアストラップの断面図である。
【図２０４】ヘッドギアストラップの外層および補強部材の組立分解図である。
【図２０５】図２０４の外層および補強部材を組み込んだヘッドギアストラップの断面図である。
【図２０６】コア、第１外層、第２外層、およびコア材料の導入」前に外層を分離する１つまたは複数の補強または分離部材を有するヘッドギアアセンブリの断面図である。
【図２０７】コア、第１外層、第２外層、およびコア内に封入された補強部材を有するヘッドギアストラップの断面図である。
【図２０８】コア、緩衝層および外層を有するヘッドギアストラップの断面図である。
【図２０９】コア、緩衝層および外層を有し、緩衝層の一部が外側に露出している、別のヘッドギアストラップの断面図である。
【図２１０】いくつかのストラップとストラップのうちの２つ以上を接続するコネクタとを有するヘッドギアの一部の側面図である。
【図２１１】図２１０のコネクタおよびストラップのうちの１つの断面図である。
【図２１２】コアと単一部片の継目なし外層とを有するヘッドギアストラップの断面図である。
【図２１３】コアと、継目を有する単一部片の外層とを有し、外層の縁部がコア内に埋め込まれている、ヘッドギアストラップの断面図である。
【図２１４】コアと、継目を有する単一部片の外層とを有し、外層の縁部がコア内に埋め込まれている、別のヘッドギアストラップの断面図である。
【図２１５】コアと、一対の継目を有する２部片の外層とを有し、外層部片の縁部がコア内に埋め込まれている、ヘッドギアストラップの断面図である。
【図２１６Ａ】コアのない２部片の外層の断面図である。
【図２１６Ｂ】コアが形成された後の２部片の外層の断面図である。
【図２１７】コアと４つの継目を有する４部片の外層とを有し、外層部片の縁部がコア内に埋め込まれている、ヘッドギアストラップの断面図である。
【図２１８】コアと３つの継目を有する３部片の外層とを有し、外層部片の縁部がコア内に埋め込まれている、別のヘッドギアストラップの断面図である。
【図２１９】コアおよびテクスチャ加工された外層を有し、外層の一部がコアを露出させるように切り取られている、ヘッドギアストラップの斜視図である。
【図２２０】コアおよびキルティングされた外層を有し、外層の一部がコアを露出させるように切り取られている、ヘッドギアストラップの斜視図である。
【図２２１】コアおよび外層を有し、コアが外層にテクスチャ加工形状を与える、ヘッドギア層の断面図である。
【図２２２】第１ストラップおよび第２ストラップを有するヘッドギアの斜視図である。
【図２２３】図２２２のヘッドギアの第１ストラップの断面図である。
【図２２４】図２２２のヘッドギアの第２ストラップの断面図である。
【図２２５】第１ストラップ、第２ストラップ、および第１ストラップと第２ストラップとの間の接続部を有するヘッドギアの斜視図である。
【図２２６】接続部を含む図２２５のヘッドギアの一部の拡大図である。
【図２２７】図２２６の接続部の断面図である。
【図２２８】第１ストラップ、第２ストラップ、および第１ストラップと第２ストラップとの間の接続部を有するヘッドギアの斜視図である。
【図２２９】図２２８のヘッドギアの接続部を含む部分の拡大図である。
【図２３０】接続部内のストラップのいくつかのあり得る断面図を示した。
【図２３１】図２２８のヘッドギアの第２ストラップの断面図である。
【図２３２Ａ】型内成形（ｉｎｔｒａ−ｍｏｕｌｄｅｄ）二又ヘッドギアの正面ストラップおよび二又ストラップの上から見た図である。
【図２３２Ｂ】図２３２Ａの型内成形された二又ヘッドギアのストラップを形成するように互いに接合された第１カバー層および第２カバー層の斜視図である。
【図２３２Ｃ】図２３２Ａの型内成形された二又ヘッドギアのストラップを形成するように互いに接合された第１カバー層および第２カバー層の断面図である。
【図２３３】部分的に剛性の正面ストラップを有する図２３２Ａの型内成形された二又ヘッドギアの斜視図である。
【図２３４】剛性正面ストラップと部分的剛性二又ストラップとを有する図２３２Ａの型内成形された二又ヘッドギアの斜視図である。
【図２３５】剛性正面ストラップおよび二又ストラップを有する図２３２Ａの型内成形された二又ヘッドギアの斜視図である。
【図２３６Ａ】図２３２Ａ〜図２３５の型内成形された二又ヘッドギア構成を形成するように構成された成形型の斜視図である。
【図２３６Ｂ】図２３６Ａの成形型の線２３６Ｂ−２３６Ｂに沿った断面図である。
【図２３６Ｃ】布ケーシングを内部の適所に固定するように構成された成形型の断面図である。
【図２３６Ｄ】布ケーシングを内部の適所に固定するように保持スパイクを有する成形型の断面図である。
【図２３６Ｅ】布ケーシングを内部の適所に固定する保持スパイクを示す、図２３６Ｄの成形型の部分斜視図である。
【図２３６Ｆ】布ケーシングに突き刺すがそれを貫通して延在はしない保持スパイクを示す、図２３６Ｄの成形型の断面図である。
【図２３６Ｇ】布ケーシングを貫通して突き刺す保持スパイクを示す、図２３６Ｄの成形型の断面図である。
【図２３７Ａ】織布ケーシングを用いてヘッドギアを形成する成形型の斜視図である。
【図２３７Ｂ】図２３７Ａの成形型の断面図である。
【図２３８】コア、カバー層およびレールを有する型内成形されたストラップの代替構造の断面斜視図である。
【図２３９Ａ】エアポケットコア、カバー層および型内成形レールを有する型内成形されたストラップの代替構造の断面図である。
【図２３９Ｂ】図２３９Ａの型内成形されたストラップの斜視図である。
【図２３９Ｃ】使用者が着用しているときの図２３９Ａの型内成形されたストラップの断面図である。
【図２４０Ａ】構造化コアを有する型内成形されたストラップの代替構造の断面斜視図である。
【図２４０Ｂ】図２４０Ａの型内成形されたストラップの構造化コアを構築するための成形型の断面図である。
【図２４１Ａ】形状および断面が長さに沿って連続的に変化する複雑な３Ｄ形状を有する、型内成形されたストラップの代替構造の斜視図である。
【図２４１Ｂ】図２４１Ａの型内成形されたストラップの線２４１Ｂ−２４１Ｂに沿った断面図である。
【図２４１Ｃ】図２４１Ａの型内成形されたストラップの線２４１Ｃ−２４１Ｃに沿った断面図である。
【図２４２Ａ】エンボス加工されたブランドロゴを有する代替的な型内成形されたストラップの断面斜視図である。
【図２４２Ｂ】レーザ切断されたブランドロゴを有する代替的な型内成形されたストラップの断面斜視図である。
【図２４２Ｃ】図２４２Ｂの代替的な型内成形されたストラップの断面斜視図である。
【図２４２Ｄ】コア材料を露出させるためにレーザ切断部分が除去されている、代替的な型内成形されたストラップの断面斜視図である。
【図２４２Ｅ】エンボス加工された指標と突出する露出したコア材料から形成された突出指標とを有する代替的な型内成形されたストラップの断面斜視図である。
【図２４２Ｆ】エンボス加工された特徴を備えた突出するグリップバンプを有する代替的な型内成形されたストラップの断面斜視図である。
【図２４２Ｇ】エンボス加工された突出するグリップバンプを有する代替的な型内成形されたストラップの断面斜視図である。
【図２４３Ａ】オーバモールドされたブランドロゴを有する代替的な型内成形されたストラップの断面斜視図である。
【図２４３Ｂ】オーバモールドされた把持用出っ張り（ｇｒｉｐ  ｂｕｍｐ）を有する代替的な型内成形されたストラップの断面斜視図である。
【図２４３Ｃ】図２４３Ｂのオーバモールドされた把持用出っ張りを有する代替的な型内成形されたストラップの線２４３Ｃ−２４３Ｃに知った断面図である。
【図２４４Ａ】単一の後部ストラップを有する成形されたヘッドギア構成の背面斜視図である。
【図２４４Ｂ】図２４４Ａの成形されたヘッドギア構成の線２４４Ｂ−２４４Ｂに沿った断面図である。
【図２４５Ａ】アーチ形コネクタによって頭頂ストラップに接続された下部ストラップを有する成形されたヘッドギア構成の側面斜視図である。
【図２４５Ｂ】図２４５Ａの成形されたヘッドギア構成の線２４５Ｂ−２４５Ｂに沿った断面図である。
【図２４５Ｃ】図２４５Ａの成形されたヘッドギア構成の側面図である。
【図２４６】剛性正面ストラップと弾性後部ストラップおよび頭頂ストラップとを有する成形されたヘッドギア構成の背面斜視図である。
【図２４７Ａ】型内成形された可変編物を有する成形された二又ヘッドギア構成の背面斜視図である。
【図２４７Ｂ】図２４７Ａの成形されたヘッドギア構成の線２４７Ｂ−２４７Ｂに沿った断面図である。
【図２４７Ｃ】図２４７Ａの成形されたヘッドギア構成の線２４７Ａ−２４７Ａに沿った断面図である。
【図２４７Ｄ】図２４７Ａの成形されたヘッドギア構成を形成する成形型である。
【図２４８Ａ】完全に一体化された二又後部ストラップおよび頭頂ストラップを有する成形されたヘッドギア構成の側面斜視図である。
【図２４８Ｂ】図２４８Ａの成形されたヘッドギア構成の部分組立分解斜視図である。
【図２４８Ｃ】図２４８Ａの成形されたヘッドギア構成の断面斜視図である。
【図２４９Ａ】露出しかつ外側カバーの外面に形成されたコア材料を有する成形されたヘッドギア構成の側面斜視図である。
【図２４９Ｂ】外側カバーの凹部に配置されたコア材料を有する図２４８Ａの成形されたヘッドギア構成の断面斜視図である。
【図２４９Ｃ】外側カバーの凹部に配置されることなく外側カバーの上に配置されたコア材料を有する、図２４８Ａの成形されたヘッドギア構成の代替構造を示す断面斜視図である。
【図２５０】フルフェイスマスクと組み合わせて使用される例示的な型内成形されたヘッドギア構成の側面図である。
【図２５１】鼻マスクと組み合わせて使用される耳下下部ストラップを有する例示的な型内成形されたヘッドギア構成の側面図である。
【図２５２】鼻ピローマスクと組み合わせて使用される例示的な型内成形されたヘッドギア構成の側面図である。
【図２５３】鼻マスクと組合せて使用される例示的な型内成形されたヘッドギア構成の側面図である。
【手続補正２】
【補正対象書類名】明細書
【補正対象項目名】０３４４
【補正方法】変更
【補正の内容】
【０３４４】
好ましくは、調整機構１３００は、方向性ロックを備え、それは、第１方向における（たとえば、縮小位置に向かう）第１部分１３１０および第２部分１３２０の相対移動を可能にし、第２方向における移動を阻止する降伏力を提供する。降伏力は、好ましくは、通常のまたは予期される動作条件下で第２方向における実質的な移動を防止するのに十分であるが、第１部分１３１０および第２部分１３２０の所望の調整を可能にするように、加えられる力によって克服することができる。
【手続補正３】
【補正対象書類名】明細書
【補正対象項目名】０４０７
【補正方法】変更
【補正の内容】
【０４０７】
さらに、収集部長さＬcollectorは、ヘッドギアアセンブリの最大周囲長および最小周囲長でコア部材の総余分または未利用部分を収容するのに十分であることが好ましい。したがって、少なくともいくつかの構成では、個々のまたは総コア長さＬcoreは、個々のまたは総最大長さＬmaxに個々のまたは総収集部長さＬcollectorを足した値以下である。少なくともいくつかの構成では、個々のまたは総コア長さＬcoreは、個々のまたは総最小長さＬminに個々のまたは総収集部長さＬcollectorを足した値以下である。いくつかの構成では、個々のまたは総最大長さＬmaxは、個々のまたは総最大長さＬmaxに個々のまたは総収集部長さＬcollectorを足した値未満である個々のまたは総コア長さＬcore以下である。方向性ロック機構の長さは、外周部内に具体的に示されていないが、ヘッドギア後方部分の長さＬrear、弾性長さＬelasticまたは収集部長さＬcollectorのうちの任意のものの一部を形成するものとみなすことができる。いずれの場合も、方向性ロック機構の長さは、コアの最小長さＬcoreを求める際に考慮することができる。
【手続補正４】
【補正対象書類名】明細書
【補正対象項目名】０４１２
【補正方法】変更
【補正の内容】
【０４１２】
第１ワッシャ１８２０および第２ワッシャ１８２２は、円筒状シャフト１８２４とシャフト１８２４から延在するアームとを備える。円筒状シャフト１８２４は、ハウジング１８１０と実質的に同じ幅Ｗであり、アームは、第１チャンバ１８４０および第２チャンバ１８４２内に適合するように細くなっている。図示する構成では、アームは、第１セクション１８７２および第２セクション１８７４を備え、第１セクション１８７２は、円筒状シャフト１８２４から半径方向にまたは垂直に延在し、第２セクション１８７４は、第１セクション１８７２の端部から鈍角で延在している。第１ワッシャ１８２０のアームの第１セクション１８７２は、第２ワッシャ１８２２のアームの第１セクション１８７２より短い。第１ワッシャ１８２０のアームの第１セクション１８７２と第２セクション１８７４との間の角度は、第２ワッシャ１８２２の対応する角度より大きい。角度は、第１ワッシャ１８２０および第２ワッシャ１８２２の一方または両方の第２セクション１８７４が、ワッシャ１８２０、１８２２の１つの位置においてハウジング１８１０の対応する壁（たとえば、それぞれ内壁１８１２および端壁１８１４）に対して実質的に平坦に位置するように選択することができる。アームの第２セクション１８７４は、コア部材１８３０を受け入れるように構成された中心に位置する円形アパーチャ１８７６を備える。第１チャンバ１８４０および第２チャンバ１８４２は、内部に収容されるワッシャのサイズに従ってサイズが異なり、すなわち、第１ワッシャ１８２０が第２ワッシャ１８２２より小さいため、第１チャンバ１８４０は第２チャンバ１８４２より小さい。
【手続補正５】
【補正対象書類名】明細書
【補正対象項目名】０４１８
【補正方法】変更
【補正の内容】
【０４１８】
図７１は、第１ロックワッシャ１８２０および第２ロックワッシャ１８２２を方向性ロック１８００のハウジング１８１０に組み付ける限定しない例示的な構成を示す。この構成は、ロックワッシャ１８２０、１８２２を位置合わせしかつそれらに組付け力を加えるために使用される、グリップタブ１８３０等のグリップ部分または要素を含む。グリップタブ１８３０は、ロックワッシャ１８２０、１８２２とゲートおよびランナシステム１９００との間に形成され、人または機械が容易に把持するように特に構成された形状を有することができる。いくつかの構成では、ゲートおよびランナシステム１９００は、成形プロセス中にグリップタブ１８３０から取り除かれるように構成されている。この構成の変形（図示せず）では、単一グリップタブ１８３０によって第１ロックワッシャ１８２０および第２ロックワッシャ１８２２の複数の対を接続することができ、単一グリップタブ１８３０は、単一動作で方向性ロックを組み立てるために使用される。
【手続補正６】
【補正対象書類名】明細書
【補正対象項目名】０４１９
【補正方法】変更
【補正の内容】
【０４１９】
図７２は、方向ロックの限定しない例示的な実施形態を示す。この実施形態では、ワッシャリテーナ１８５０は、対向する配置で位置決めされており、そこでは、第１ワッシャリテーナ１８５０は、ハウジングの頂部から下方に延在し、第２ワッシャリテーナ１８５０は、ハウジングの底部から上方に延在している。第１ロックワッシャ１８２０および第２ロックワッシャ１８２２は、反対方向においてハウジング１８１０に組み付けられる。たとえば、ロックワッシャ１８２０、１８２２のハウジング１８１０への組付けに役立つように、図６９ａ〜図７１の実施形態に関連して記載したようなグリップタブ１８３０またはゲートおよびランナシステム１９００を用いることができる。
【手続補正７】
【補正対象書類名】明細書
【補正対象項目名】０４３９
【補正方法】変更
【補正の内容】
【０４３９】
ヘッドギア試験
図８５は、少なくとも１つの方向性ロックモジュール２５１０を含むヘッドギア装置の機能を検証する試験設定を示す。図８５において試験されているヘッドギア装置は、一対の横方向性ロックモジュール２５１０によって互いに接続されているヘッドギア２５０２およびマスクフレーム２５０４を備える。フレーム２５０４は、鼻ピローシールを受け入れるように構成されている。ヘッドギアに接続される方向性ロックモジュール２５１０の端部は、ヘッドギア装置を汎用試験機の可動クロスヘッド２５３０に固定する試験冶具２５２０内に保持される。マスクフレーム２５０４は、汎用試験機の固定クロスヘッド２５４０に固定される。汎用試験機は、いくつかの段階でマスクの着用および装着をシミュレーションする試験を行うことができる。この試験設定は、フルフェイスマスクおよび鼻マスク等、異なるマスクタイプで使用されるように構成されるヘッドギア装置を試験するように変更することができることが理解されるべきである。
【手続補正８】
【補正対象書類名】明細書
【補正対象項目名】０６１６
【補正方法】変更
【補正の内容】
【０６１６】
図１７２および図１７３は、コア６９１２と、コア６９１２の周囲に巻き付けられるカバー６９１４とを備えるストラップ６８００を示す。図示する構成では、カバー層６９１４の縁部はコア６９１２内に埋め込まれている。コア６９１２は、プラスチック等、比較的剛性材料から構成することができる。いくつかの構成では、コア６９１２は、射出成形プロセスによって形成される。カバー層６９１４は、比較的軟質な布またはテキスタイル材料から構成することができる。図示する構成では、カバー層６９１４は、ＵＢＬ（連続ループ）材料から構成される。任意の好適な構成または方法によって、コア６９１２にカバー層６９１４を固定することができる。図示する構成では、カバー層６９１４は、平坦な材料片の両縁部を縫合すること等により、管状構造として構成される。コア６９１２の溶融材料は、本明細書に開示する方法等により、管状カバー層６９１４の中心に射出される。しかしながら、たとえば接着剤またはＲＦ溶接等、他の好適な構成または方法も使用することができる。
【手続補正９】
【補正対象書類名】明細書
【補正対象項目名】０６１８
【補正方法】変更
【補正の内容】
【０６１８】
図示するストラップ６８００は、幅６９２０および厚さ６９２４を画定する。図示する構成では、ストラップ６８００の幅６９２０は１０ｍｍであり、ストラップ６８００の厚さ６９２４は２ｍｍである。しかしながら、こうした寸法は、例示および図１５８〜図１７３のストラップ構成間の比較のためであり、たとえば本明細書に開示するもの等、他の好適なストラップ寸法を用いることができる。
【手続補正１０】
【補正対象書類名】明細書
【補正対象項目名】０６５８
【補正方法】変更
【補正の内容】
【０６５８】
図２３６Ａおよび図２３６Ｂは、型内成形二又ヘッドギア構成５６００を形成するように構成された成形型５２００を示す。成形型５２００は、第１型半体５２１０および第２型半体５２２０を備える。第１型半体５２１０および第２型半体５２２０は互いに接合されてストラップキャビティ５２２２を形成する。ストラップキャビティ５２２２は、布ケーシング５１１０を受け入れるように構成されている。いくつかの構成では、ストラップキャビティ５２２２内に厳密にフィットするように布ケーシング５１１０を切断するかまたは予備成形することができ、それにより、布ケーシング５１１０はストラップキャビティ５２２２内に容易に位置合せされる。成形型５２００が閉じた位置にあり、布ケーシング５１１０が適所に固定されると、いくつかの構成では図２３７のものと同じか同様であり得る、ゲートおよびランナシステム（図示せず）を介して、布ケーシング５１１０内にコア材料を射出することができる。したがって、単一製造プロセスで、ヘッドギア５６００を容易に成形することができる。
【手続補正１１】
【補正対象書類名】明細書
【補正対象項目名】０６６７
【補正方法】変更
【補正の内容】
【０６６７】
図２４１Ａは、長さに沿って連続的に可変の形状および断面を備えた複雑な３Ｄ形状を有する型内成形管状ヘッドストラップ５６０２に対する代替構造を示す。言い換えれば、ヘッドストラップ５６０２は、図２４１Ｂにおける断面線２４１Ａ−２４１Ｂおよび図２４１Ｃにおける断面線２４１Ｃ−２４１Ｃに沿って示すように、その長さに沿って変化する幅、厚さ、縁部半径、表面曲率（凹状部／凸状部）を有することができる。ヘッドストラップ５６０２の長さに沿って曲率が変化することにより、ヘッドギアの所定領域に対してカスタマイズされた性能および構造が提供される。たとえば、図２４１Ｂにおける断面線２４１Ａ−２４１Ｂに沿ったヘッドストラップ５６０２の湾曲面５６４６は、マスクおよび使用者の顔面（たとえば頬骨）により近い頭部形状に沿うような形状とすることができる。対照的に、図２４１Ｃにおける断面線２４１Ｃ−２４１Ｃに沿ったヘッドストラップ５６０２は、使用者の耳の上方、後方、下および／または周囲で密にフィットすることができるように、最小のサイズ／体積を有するような形状とすることができる。
【手続補正１２】
【補正対象書類名】明細書
【補正対象項目名】０６７８
【補正方法】変更
【補正の内容】
【０６７８】
図２４６は、後部ストラップ１０３２０、頭頂ストラップ１０３３０および前部ストラップ１０３４０を有するヘッドギア構成１０３００を示す。前部ストラップ１０３４０は、後部ストラップ１０３２０および頭頂ストラップ１０３３０とは異なる構造を有することができる。言い換えれば、前部ストラップ１０３４０は、後部ストラップ１０３２０および頭頂ストラップ１０３３０より実質的に剛性が高い可能性がある。前部ストラップ１０３４０は、比較的剛性材料から形成されたコアを有することができ、後部ストラップ１０３２０および頭頂ストラップ１０３３０は、より可撓性の高いコア材料から形成されたコアを有する。いくつかの構成では、後部ストラップ１０３２０および頭頂ストラップ１０３３０にはコア材料が充填されていない。後部ストラップ１０３２０および頭頂ストラップ１０３３０は、弾性の編、織または編組材料から形成されたカバー層を有する。後部ストラップ１０３２０および頭頂ストラップ１０３３０は構造に可撓性があり、それにより、マスクに対して保持力を与えるとともに、広範囲の頭部サイズにフィットするように伸張することができる。さらに、後部ストラップ１０３２０および頭頂ストラップ１０３３０は、頭部の敏感な部分（すなわち、顔面）から離れる方向にヘッドギアの保持力部分を再配置する。
【手続補正１３】
【補正対象書類名】図面
【補正対象項目名】図６２
【補正方法】変更
【補正の内容】
【図６２】
2017531464.tif 000001
【手続補正１４】
【補正対象書類名】図面
【補正対象項目名】図６６
【補正方法】変更
【補正の内容】
【図６６】
2017531464.tif 000002
【手続補正１５】
【補正対象書類名】図面
【補正対象項目名】図８９Ａ
【補正方法】変更
【補正の内容】
【図８９Ａ】
2017531464.tif 000003
【手続補正１６】
【補正対象書類名】図面
【補正対象項目名】図１９９
【補正方法】変更
【補正の内容】
【図１９９】
2017531464.tif 000004